(57)【要約】【課題】本発明は、ディスクシステム用ワイヤレス検知装置に関する。【解決手段】このワイヤレス検知装置は、ビームを射出するようにケース内に装着されたビーム射出源と、前記ビームを反射するように引き出し内に装着された反射器と、前記反射器によって反射された前記ビームを受けるように前記ケース内に装着されたビーム受けエンドと、前記反射器に前記ビームを反射させるかどうかを制御するように前記引出し内に装着されたスイッチと、前記ケース内に装着されたワンウエイミラーとを備えている。前記ワンウエイミラーは、前記ビームの射出方向と非直角を形成し、一方の面に透過面を有し、他方の面に反射面を有しており、前記ビームは前記透過面を透過し、前記反射器によって前記反射面へ反射され、更に前記反射面によって前記ビーム受けエンドへ反射される。【選択図】  図１
2007095243.tif 000002
【特許請求の範囲】
【請求項１】
ディスクシステム用ワイヤレス検知装置であって、前記ディスクシステムは、ケースと引き出しとを有し、前記引き出しは、データ保存デバイスを携行するために設けられ、摺動可能にケース内に収容されており、前記ワイヤレス検知装置は、
ビームを射出するように前記ケース内に装着されたビーム射出源と、
前記ビームを反射するように前記引き出しに装着された反射器と、
前記反射器によって反射された前記ビームを受けるように前記ケース内に装着されたビーム受けエンドと、
前記反射器に前記ビームを反射させるかどうかを制御するように前記引出し内に装着されたスイッチと、
前記ケース内に装着されたワンウエイミラーとを備え、
前記ワンウエイミラーは、前記ビームの射出方向と非直角を形成し、一方の面に透過面を有し、他方の面に反射面を有しており、前記ビームは前記透過面を透過し、前記反射器によって前記反射面へ反射され、更に前記反射面によって前記ビーム受けエンドへ反射され、
このディスクシステムは、前記ビーム受けエンドが前記ビームを受けているかどうかを判別することによって、前記引出しが前記ケース内に適切に収容されているかどうかを判断することを特徴とするディスクシステム用ワイヤレス検知装置。
【請求項２】
前記ビーム射出源は、発光ダイオード（ＬＥＤ）であることを特徴とする請求項１記載のワイヤレス検知装置。
【請求項３】
前記ビーム射出源は、レーザ光射出器であることを特徴とする請求項１記載のワイヤレス検知装置。
【請求項４】
前記ビーム射出源は、赤外線射出器であることを特徴とする請求項１記載のワイヤレス検知装置。
【請求項５】
更に、前記ビーム射出源から前記反射器へ射出される前記ビームを案内するように前記引出し内に装着された光ガイド管を備えたことを特徴とする請求項１記載のワイヤレス検知装置。
【請求項６】
前記ワンウエイミラーは、前記ビーム射出方向と４５度の角度を形成することを特徴とする請求項１記載のワイヤレス検知装置。
【請求項７】
前記光ガイド管は、前記反射器の位置に装着可能な湾曲状の光ガイド管であることを特徴とする請求項５記載のワイヤレス検知装置。
【請求項８】
前記光ガイド管は、ガラスファイバーで作られていることを特徴とする請求項５記載のワイヤレス検知装置。
【請求項９】
前記光ガイド管は、アクリル類で作られていることを特徴とする請求項５記載のワイヤレス検知装置。
【請求項１０】
前記ビーム受けエンドは、データ処理装置にメッセージを送り、前記引出しが前記ケース内に適切に収容されているかどうかをデータ処理装置に知らせることで、データ処理装置は、未保存データを引き出し内のデータ保存デバイスに保存することを特徴とする請求項５記載のワイヤレス検知装置。
【請求項１１】
前記データ処理デバイスは、コンピュータであることを特徴とする請求項１０記載のワイヤレス検知装置。
【請求項１２】
前記データ処理デバイスは、サーバであることを特徴とする請求項１０記載のワイヤレス検知装置。
【請求項１３】
前記ビーム受けエンドが前記ビームを受けたとき、前記引き出しが前記ケース内に適切に収容されていると判断されることを特徴とする請求項１記載のワイヤレス検知装置。
【請求項１４】
前記ビーム受けエンドが前記ビームを受けていないとき、前記引き出しが前記ケース内に適切に収容されていると判断されることを特徴とする請求項１記載のワイヤレス検知装置。
【請求項１５】
ディスクシステム用ワイヤレス検知装置であって、前記ディスクシステムは、ケースと引き出しとを有し、前記引き出しは、データ保存デバイスを携行するために設けられ、摺動可能にケース内に収容されており、前記ワイヤレス検知装置は、
前記ケース内に収容されている電界付き第１金属板と、
前記第１金属板に対応するように前記引出し内に装着されている第２金属板と、
第１金属板と第２金属板との間の対応位置によって生じるキャパシタンスを変化させるように第２金属板の位置を制御するコントローラと、
前記キャパシタンスを検知するように前記ケース内に装着された検知デバイスと、
を備え、
このディスクシステムは、前記キャパシタンスの変化によって、引き出しがケース内に適切に収容されているかどうかを判断することを特徴とするディスクシステム用ワイヤレス検知装置。
【請求項１６】
前記コントローラは、スイッチと制御ロッドとを有し、この制御ロッドの一端は前記スイッチに接続され、他端は前記第２金属板に接続されており、第２金属板の位置が、前記スイッチの回転によって変化することを特徴とする請求項１５記載のディスクシステム用ワイヤレス検知装置。
【請求項１７】
前記検知デバイスはＲＣ発振器であることを特徴とする請求項１５記載のディスクシステム用ワイヤレス検知装置。
【請求項１８】
ディスクシステム用ワイヤレス検知装置であって、前記ディスクシステムは、ケースと引き出しとを有し、前記引き出しは、データ保存デバイスを携行するために設けられ、摺動可能にケース内に収容されており、前記ワイヤレス検知装置は、
前記ケース内に装着されているトランスフォーマと、
前記ケース内に装着されているトランスフォーマに対応する金属ストリップと、
前記トランスフォーマと前記金属ストリップとの間の対応位置によって生じる電圧値を変化させるように前記金属ストリップの位置を制御するコントローラと、
前記電圧値を検知するように前記ケース内に装着された検知デバイスと、
を備え、
このディスクシステムは、前記電圧値の変化によって、引き出しがケース内に適切に収容されているかどうかを判断することを特徴とするディスクシステム用ワイヤレス検知装置。
【請求項１９】
前記コントローラは、スイッチと制御ロッドとを有し、この制御ロッドの一端は前記スイッチに接続され、他端は前記金属ストリップに接続されており、金属ストリップの位置は、前記スイッチの回転によって変化することを特徴とする請求項１８記載のディスクシステム用ワイヤレス検知装置。
【発明の詳細な説明】
【技術分野】
【０００１】
本発明は、一般にディスクシステム用検知装置に関し、特にディスクシステムの引出しがディスクシステムのケース内に適切に収容されているかどうかを判断してディスクシステムの未保存データを適時に保存するためのワイヤレス検知装置に関する。
【背景技術】
【０００２】
大量のデータ及びメッセージを処理するとき、コンピュータ、サーバ又はワークステーションは、充分なメモリスペースを必要としている。ハードディスク又は他のデータ保存デバイスは、このようなメモリスペースを提供しようとしており、携帯型ハードディスクであった場合、ユーザはメモリ容量を拡張するだけでなく、携帯することも容易にできる。例えば、ＲＡＩＤ（Ｒｅｄｕｎｄａｎｔ  Ａｒｒａｙ  ｏｆ  Ｉｎｄｅｐｅｎｄｅｎｔ  Ｄｉｓｃ  Ｂｏｘ：独立ディスクボックスの冗長配列）ボックスは、マルチハードディスクを有効に利用することができ、その理由としては、各ハードディスクがデータを共有するとともに、他のハードディスクにデータを複製することができるからである。ＲＡＩＤボックスのハードディスクは、ユーザの便宜を図るため、通常は携帯可能に設計されている。各ハードディスクは、引出しに携行され、この引出しは、摺動可能にケース内に収容されている。一方、データ処理装置例えばサーバがデータ処理を行っているとき、ユーザが過失或いは他の理由でケースから引出しを不適切に引き出すことで処理中のデータが適時にハードディスクに保存されなくなりデータが失われることが発生しうる。更に、ユーザは、引出しが不適切にケースに収容されていることに気づかない可能性もあり、結局、処理済のデータを保存することができない。
【０００３】
上述した問題を解決するために従来例では、引出しにスイッチを装着し、引出しの後部にコネクタ例えばプラグを取り付けると共に、他のコネクタ例えばプラグと係合可能なソケットをケース内の対応位置に取り付ける。ここで、上記スイッチはワイヤ配置を介して、プラグとソケットの接続が行われるかを決めるためにプラグを制御する。このスイッチが「ＫＥＹ  ＯＮ」状態にあるとき、引出し後部のプラグは、ケース内のソケットと結合し、これは、引出しがケース内に適切に収容されていることを意味する。一方、スイッチが「ＫＥＹ  ＯＦＦ」状態にあるとき、引出し後部のプラグは、ケース内のソケットから離れ、これは、引出しがケース内に適切に収容されていないことを意味し、随時ケースから引き出されようとしている。検知装置を介してＲＡＩＤボックスに接続されているサーバ又はコンピュータは、引出しがケース内に適切に収容されているかどうかを検知すると共に緊急措置を取ることができ、例えば、引出しがＲＡＩＤボックスのケースから引き出されデータ又は情報が失われる前にデータ又は情報を即座に保存する。
【０００４】
しかし、上述した従来例は、ユーザに不便や非効率を来たす問題を抱えている。例えば、プラグとソケットは、時々精密に結合できない。その理由は、プラグとソケットは、機械的に結合できるように設計されているからである。更に、上述した従来技術は、上記以外の問題点を抱えている。例えば、（i）付加的に取り付けたコネクタ（プラグとソケット）によって製造コストが高くなる；（ii）付加的なコネクタを装着するために、本来のコネクタの装着位置を変更せざるを得ない；（iii）ケースの内底部にコネクタソケットを取り付けることが難しい；（iv）引出しが小さく設計されて内部空間が限られているので、プラグを制御するためのワイヤ配置が困難である。
【発明の開示】
【発明が解決しようとする課題】
【０００５】
従って、従来技術に存在している上記問題を克服し、特に、付加的なコネクタ及びワイヤ配置に起因する不便や難しさ等を解消できるディスクシステム用検知装置が求められてきている。
【課題を解決するための手段】
【０００６】
本発明の主要目的は、従来技術における付加的なコネクタ及びワイヤ配置に起因する不便や難しさを克服できるディスクシステム用ワイヤレス検知装置を提供することにある。本発明における他の目的は、ディスクシステムのケースに引出しが適切に収容されているかどうかをより効果的に検知できるディスクシステム用ワイヤレス検知装置を提供することにある。
【０００７】
本発明の第１実施形態は、ディスクシステム用ワイヤレス検知装置に関する。このディスクシステムは、ケースと引き出しとを有する。前記引き出しは、データ保存デバイスを携行するように設けられ、ケース内に摺動可能に収容されている。このワイヤレス検知装置は、主として、ビームを射出するように前記ケース内に装着されたビーム射出源と、前記ビームを反射するように前記引き出しに装着された反射器と、前記反射器によって反射された前記ビームを受けるように前記ケース内に装着されたビーム受けエンドと、前記反射器に前記ビームを反射させるかどうかを制御するように前記引出し内に装着されたスイッチと、前記ケース内に装着されたワンウエイミラーとを備えている。前記ワンウエイミラーは、前記ビームの射出方向と非直角を形成し、一方の面に透過面を有し、他方の面に反射面を有しており、前記ビームは前記透過面を透過し、前記反射器によって前記反射面へ反射され、更に前記反射面によって前記ビーム受けエンドへ反射される。このディスクシステムは、前記ビーム受けエンドが前記ビームを受けているかどうかを判別することによって、前記引出しが前記ケース内に適切に収容されているかどうかを判断する。
【０００８】
本発明の第２実施形態も、ディスクシステム用ワイヤレス検知装置に関する。このディスクシステムは、ケースと引き出しとを有する。前記引き出しは、データ保存デバイスを携行するように設けられ、ケース内に摺動可能に収容されている。このワイヤレス検知装置は、主として、前記ケース内に収容されている電界付き第１金属板と、前記第１金属板に対応するように前記引出し内に装着されている第２金属板と、第１金属板と第２金属板との間の対応位置によって生じるキャパシタンスを変化させるように第２金属板の位置を制御するコントローラと、前記キャパシタンスを検知するように前記ケース内に装着された検知デバイスとを備えている。このディスクシステムは、前記キャパシタンスの変化によって、引き出しがケース内に適切に収容されているかどうかを判断する。
【０００９】
本発明の第３実施形態も、ディスクシステム用ワイヤレス検知装置に関する。このディスクシステムは、ケースと引き出しとを有する。前記引き出しは、データ保存デバイスを携行するように設けられ、ケース内に摺動可能に収容されている。このワイヤレス検知装置は、主として、前記ケース内に装着されているトランスフォーマと、前記ケース内に装着されているトランスフォーマと対応する金属ストリップと、前記トランスフォーマと前記金属ストリップとの間の対応位置によって生じる電圧値を変化させるように前記金属ストリップの位置を制御するコントローラと、前記電圧値を検知するように前記ケース内に装着された検知デバイスとを備えている。このディスクシステムは、前記電圧値の変化によって、引き出しがケース内に適切に収容されているかどうかを判断する。
【００１０】
本発明における上記目的及び利点は、図面を参照しながら、本発明の好ましい実施例を説明することによって、より明瞭となる。
【発明を実施するための最良の形態】
【００１１】
図１〜図５に示すように、本発明の第１実施例は、ＲＡＩＤボックスＡと称すディスクシステムに用いられるワイヤレス検知装置である。ＲＡＩＤボックスＡは、ケース１及び引出し２を有する。引出し２は、データ保存デバイス即ちハードディスク３を携行するためのものであって、摺動可能にケース１内に収容される。このワイヤレス検知装置は、主としてビーム射出源１０と、反射器３０と、ビーム受けエンド５０と、スイッチ３１と、ワンウエイミラー２０とから構成されている。ビーム射出源１０は、図面上の複数矢印で示すビームを射出するようにケース１内に装着されたＬＥＤである。反射器３０は、前記ビームを反射するようにケース１内に装着されており、ビーム受けエンド５０は、反射器３０によって反射されたビームを受けるように同じくケース１内に装着されている。スイッチ３１は、反射器３０にビームを反射させるかどうかを制御するように引出し２に装着されたものである。ワンウエイミラー２０は、ビームの射出方向に対して４５度の角度を形成し、ＬＥＤ１０に対向する透過面２１を有すると共に、反対側に反射面２２を有する。また、光ガイド管４０は、ＬＥＤ１０から射出されたビームを反射器３０へ案内するように引き出し２に装着されている。この光ガイド管は、好ましくは、ガラスファイバー又はアクリル類で作られ、スイッチ３１は、引出し２をケース１にロックしたりアンロックしたりするときにも使われる。このスイッチ３１が「ＫＥＹ  ＯＮ」状態にあるとき、引出し２がロックされるが、「ＫＥＹ  ＯＦＦ」状態にあるとき、引出し２がアンロックされてケース１から自由に引き出される。
【００１２】
図２及び図４に示すように、スイッチ３１は反射器３０に搭載されている。これにより、スイッチ３１を回転すると、反射器３０も回転される。更に、図２及び図３に示すように、スイッチ３１が「ＫＥＹ  ＯＮ」状態にあるとき、反射器３０はビームの経路へ駆動される。ＬＥＤ１０から射出されたビームは、ワンウェイミラー２０の透過面２１を透過した後、光ガイド管４０によって反射器３０へ案内され、反射器３０によってワンウェイミラー２０の反射面２２へ反射され、さらに、この反射面２２によってビーム受けエンド５０へ反射される。このビーム受けエンド５０は、あるソフトウエアを介してデータ処理装置例えばサーバ（図示せず）にメッセージを送り、引出し２がケース１内に適切に収容されていることをサーバに知らせる。
【００１３】
図４及び図５に示すように、スイッチ３１が「ＫＥＹ  ＯＦＦ」状態にあるとき、スイッチ３１が回転されて反射器３０がビーム経路の外へ駆動される。したがって、ＬＥＤ１０から射出されてワンウェイミラー２０の透過面２１を透過したビームは、反射されなくなるので、ビーム受けエンド５０もこのビームを受けることがない。ビーム受けエンド５０は、上記ソフトウエアを介してメッセージを送りサーバに対して、引出し２がケース１内に適切に収容されていないことを警告する。そして、ハードディスクが、ケースから引き出されている引出し２によってＲＡＩＤボックスから分離される前に、サーバは、その操作システムを介して数秒間のうちに、未保存データを引き出し２内のハードディスク３に速やかに保存する。或いは、引出し２がケース１内に適切に収容されていないことを知ると、サーバはユーザに対して警告メッセージ例えば警報を発し、及び／又は、これと同時に未保存データを保存する。
一方、スペースが限られているため、反射器３０は、あるディスクシステムの引出し２において、ＬＥＤ１０から射出されるビームの直接経路に配置されることが無理かもしれない。このような事情で、反射器３０の位置に合わせるように光ガイド管４０を湾曲状に設計することも可能である。
【００１４】
また、ＬＥＤ１０を他の集光源例えばレーザ放射器又は赤外線放射器に取り替えることが可能であり、そしてサーバをコンピュータ又はワークステーションに取り替えることも可能である。さらに、第１実施例とは逆に、他の実施例では、ビーム受けエンド５０がビームを受けないとき、引出し２がケース１内に適切に収容されている。そして、サーバは、物理的にディスクシステムと連結可能であり、ディスクシステムと同一なハウジングを共有することができる。ここで、本発明の目的を達成するために、ワンウエイミラー２０は、ビームの放射方向と非直角の全ての角度を形成することができる。
【００１５】
図６〜図１０において、本発明の第２実施例は、ＲＡＩＤボックスＡと称すディスクシステム用ワイヤレス検知装置である。ＲＡＩＤボックスＡは、ケース１及び引出し２を有する。引出し２は、データ保存デバイス即ちハードディスク３を携行するためのものであって、摺動可能にケース１に収容されている。このワイヤレス検知装置は、主として、ケース１内に装着された電界付き第１金属板６０と、第１金属板６０に対応して引出し２に装着された第２金属板と、第２金属板の位置を制御して第１金属板６０と第２金属板７０との間の対応位置によるキャパシタンスを変化させるコントローラ８０と、前記キャパシタンスを検知するようにケース１内に装着されたＲＣ発信器９５とを有する。コントローラ８０は、スイッチ８２と制御ロッド８１とを有する。制御ロッド８１の一端はスイッチ８２に接続され、他端は第２金属板に接続されており、第２金属板７０の位置は、スイッチ８２の回転に応じて変化する。
【００１６】
キャパシタ（又はコンデンサ）は、絶縁材によって分離されている相互平行の両導電性板によって構成されて、電気を貯蓄する容量を有する。電界付き第１金属板６０と、空気によって分離されている第２金属板とによって、キャパシタが形成されている。式Ｃ＝（εＡ）／ｄによると、キャパシタのキャパシタンスＣは、第１金属板６０と第２金属板７０とのオーバーラップ面積Ａ及び誘電率εに直接比例しており、第１金属板６０と第２金属板７０との間の距離ｄに反比例している。誘電率ε及び第１金属板６０と第２金属板７０との間の距離ｄが定数であった場合、キャパシタンスＣがオーバーラップ面積Ａによって変化する。コントローラ８０は、第２金属板７０の位置を制御することによって、第１金属板６０と第２金属板７０とのオーバーラップ面積Ａを制御する。従って、コントローラ８０は、キャパシタのキャパシタンスを変化することができる。ＲＣ発振器９５は、キャパシタンスを検知するようにケース１内に装着されている。
【００１７】
図７及び図８に示すように、スイッチ８２が［ＫＥＹ  ＯＮ］状態にあるとき、第１金属板６０と第２金属板７０は最大のオーバーラップ面積を有し、そのキャパシタンスも最大になるが、ＲＣ発振器９５は最も低い発振周波数を有する。一方、図９及び図１０に示すように、スイッチ８２が［ＫＥＹ  ＯＦＦ］状態にあるとき、第１金属板６０と第２金属板７０は最小のオーバーラップ面積を有し、そのキャパシタンスも最小になるが、ＲＣ発振器９５は最も高い発振周波数を有する。従って、ＲＡＩＤボックスＡは、発振器９５の発振周波数の変化により、引出し２がケース１に適切に収容されているかどうかを判断することができ、ＲＡＩＤボックスＡ又はこれに接続されたサーバは、警告メッセージ又は警報をユーザに送り、及び／又は、これと同時に未保存データを迅速に保存する。
【００１８】
図１１〜図１５において、本発明の第３実施例は、ＲＡＩＤボックスＡと称すディスクシステム用ワイヤレス検知装置である。ＲＡＩＤボックスＡは、ケース１及び引出し２を有する。引出し２は、データ保存デバイス即ちハードディスク３を携行するためのものであって、摺動可能にケース１に収容されている。このワイヤレス検知装置は、主として、ケース１内に装着されたトランスフォーマ１００と、トランスフォーマ１００に対応して引出し２に装着されている金属ストリップ１１０と、金属ストリップ１１０の位置を制御し、トランスフォーマ１００と金属ストリップ１１０との間の対応位置に起因する電圧値を変化させるコントローラ１２０と、前記電圧値を検知するようにケース１内に装着された検知デバイス１０５とを備えている。コントローラ１２０は、スイッチ１２２と制御ロッド１２１とを有する。制御ロッド１２１の一端は、スイッチ１２２に接続され、他端は金属ストリップ１１０に接続されている。ここで、金属ストリップ１１０の位置は、スイッチ１２２の回転に応じて変化する。
【００１９】
図１２及び図１３に示すように、スイッチ１２２が「ＫＥＹ  ＯＮ」状態にあるとき、トランスフォーマ１００と金属ストリップ１１０は、最大の相互作用面積を有し、検知デバイス１０５は最大電圧値を検出する。一方、図１４及び図１５に示すように、スイッチ１２２が「ＫＥＹ  ＯＦＦ」状態にあるとき、トランスフォーマ１００と金属ストリップ１１０は、最小の相互作用面積を有し、検知デバイス１０５は最小電圧値を検出する。従って、ＲＡＩＤボックスＡは、電圧値の変化を検知することによって、引出し２がケース１に適切に収容されているかどうかを判別することができる。
【００２０】
第２及び第３実施例のコントローラ８０，１２０は、他の方式を用いても、第２金属板及び金属ストリップ１１０の回転を制御するができる。例えば、これらのコントローラは、ワイヤ配置を介して電気信号を送ることによってストリップ１１０の位置を制御することが可能である。また、第１〜第３実施例におけるスイッチ３１，８２，１２２を、引出し２の後部または他の部分に装着することも可能である。そして、第２実施例のＲＣ発振器９５及び第３実施例の検知デバイス１０５は、チップセットに形成されても良い。
【００２１】
本発明は、その精神及び本質から逸脱することなく他の形態としても実施することが可能である。従って、上述した実施例は、本発明を説明するためであって制限するためではない。請求項の意味及び範囲と一致する全ての変更及び均等物は、本願が主張する権利範囲に入っている。
【図面の簡単な説明】
【００２２】
【図１】図１は、本発明における第１実施例を示す斜視図である。
【図２】図２は、スイッチが「ＫＥＹ  ＯＮ」状態にあるときの主要部材を示す第１実施例の説明図である。
【図３】図３は、スイッチが「ＫＥＹ  ＯＮ」状態にあるときの第１実施例を示す側面図である。
【図４】図４は、スイッチが「ＫＥＹ  ＯＦＦ」状態にあるときの主要部材を示す第１実施例の説明図である。
【図５】図５は、スイッチが「ＫＥＹ  ＯＦＦ」状態にあるときの第１実施例を示す側面図である。
【図６】図６は、本発明における第２実施例を示す斜視図である。
【図７】図７は、スイッチが「ＫＥＹ  ＯＮ」状態にあるときの主要部材を示す第２実施例の説明図である。
【図８】図８は、スイッチが「ＫＥＹ  ＯＮ」状態にあるときの第２実施例を示す側面図である。
【図９】図９は、スイッチが「ＫＥＹ  ＯＦＦ」状態にあるときの主要部材を示す第２実施例の説明図である。
【図１０】図１０は、スイッチが「ＫＥＹ  ＯＦＦ」状態にあるときの第２実施例を示す側面図である。
【図１１】図１１は、本発明における第３実施例を示す斜視図である。
【図１２】図１２は、スイッチが「ＫＥＹ  ＯＮ」状態にあるときの主要部材を示す第３実施例の説明図である。
【図１３】図１３は、スイッチが「ＫＥＹ  ＯＮ」状態にあるときの第３実施例を示す側面図である。
【図１４】図１４は、スイッチが「ＫＥＹ  ＯＦＦ」状態にあるときの主要部材を示す第３実施例の説明図である。
【図１５】図１５は、スイッチが「ＫＥＹ  ＯＦＦ」状態にあるときの第３実施例を示す側面図である。
【図１】
2007095243.tif 000003
【図２】
2007095243.tif 000004
【図３】
2007095243.tif 000005
【図４】
2007095243.tif 000006
【図５】
2007095243.tif 000007
【図６】
2007095243.tif 000008
【図７】
2007095243.tif 000009
【図８】
2007095243.tif 000010
【図９】
2007095243.tif 000011
【図１０】
2007095243.tif 000012
【図１１】
2007095243.tif 000013
【図１２】
2007095243.tif 000014
【図１３】
2007095243.tif 000015
【図１４】
2007095243.tif 000016
【図１５】
2007095243.tif 000017
【外国語明細書】
2007095243000001.pdf
2007095243000002.pdf
2007095243000003.pdf
2007095243000004.pdf